(57)【要約】【課題】多くの部品点数を必要とせず、太陽電池モジュールの傾斜角度を変更するための工具が不要で太陽電池モジュールの傾斜角度を変更する際の作業効率を向上させることができる太陽電池架台を提供する。【解決手段】高さの異なる複数の支柱孔６が設けられた支柱１と、支柱１の上部に回動機構４を介して傾斜可能に取り付けられた、ブレード孔７が設けられた保持ブレード２と、複数の支柱孔６から任意に選択される１つの支柱孔とブレード孔７とに掛け渡されて保持ブレード２を所定の傾斜角度で固定する支持棒３と、を備え、支持棒３が複数の個所で屈曲されており、この支持棒３の支柱孔貫通部ｂが支柱孔６を貫通し、支持棒３のブレード孔貫通部ｄがブレード孔７を貫通するように構成されているものである。【選択図】図１
2011082433.tif 000002
【特許請求の範囲】
【請求項１】
高さの異なる複数の支柱孔が設けられた支柱と、
前記支柱の上部に回動機構を介して傾斜可能に取り付けられた、ブレード孔が設けられた保持ブレードと、
前記複数の支柱孔から任意に選択される１つの支柱孔と前記ブレード孔とに掛け渡されて前記保持ブレードを所定の傾斜角度で固定する支持棒と、を備え、
前記支持棒は、先端部と、前記先端部に対して略直角であり、前記支柱孔のうちの１つを貫通する支柱孔貫通部と、前記先端部および前記支柱孔貫通部に対して略直角である第１連結部と、前記第１連結部に対して略直角であり、前記ブレード孔を貫通するブレード孔貫通部と、前記ブレード孔貫通部に対して略直角である第２連結部と、を有し、
前記支柱孔貫通部と前記ブレード孔貫通部とは略平行であることを特徴とする太陽電池架台。
【請求項２】
前記支持棒は、前記第２連結部に対して略直角であるハンドル部を有し、
前記先端部は水平方向よりも上向きに曲げられており、前記ブレード孔貫通部と前記ハンドル部とは、前記第２連結部に対して互いに反対方向に曲げられ、前記支柱孔貫通部と前記ブレード孔貫通部とは、前記第１連結部に対して互いに反対方向に曲げられていることを特徴とする請求項１に記載の太陽電池架台。
【請求項３】
前記第１連結部を回転軸として、前記ハンドル部、前記第２連結部および前記ブレード孔貫通部の質量による回転モーメントが、前記支柱孔貫通部および前記先端部の質量による回転モーメントより大きく設定されていることを特徴とする請求項２に記載の太陽電池架台。
【発明の詳細な説明】
【技術分野】
【０００１】
本発明は、太陽電池架台に関し、詳細には、太陽電池モジュールの傾斜角度を変えることができる太陽電池架台に関する発明である。
【背景技術】
【０００２】
従来、太陽光発電システムにおいて効率良く発電させるため、季節によって変化する太陽高度に応じて太陽電池モジュールの傾斜角度を変えることで、太陽からの入射光が多くなるように構成された太陽電池架台が知られている。
【０００３】
このようなものとしては、例えば、支柱と支持棒とで構成されているものがある。支柱は、その支柱の長さ方向略中央位置に一対の側壁を持つブラケットが固着され、このブラケットの各側壁には高さの異なる複数の孔が設けられている。さらに、支柱の上部には回動機構を介して太陽電池モジュールが傾斜可能に取り付けられている。
【０００４】
また、支持棒は、上端が太陽電池モジュールに傾斜可能に取り付けられており、下端には孔が設けられ、一対の側壁の間（すなわち、ブラケット内）に挿入される。
【０００５】
このような構成により、太陽電池モジュールの傾斜角度を固定させる際には、支持棒の下端が一対の側壁の間に挿入された状態で、各側壁に設けられた高さの異なる複数の孔のうち任意の高さに設けられた孔を選び、この選ばれた孔の高さと支持棒の下端に設けられた孔の高さとを合わせて、これらの孔内に１本のボルトを貫通させる。そして、ボルトの先端にナットをねじ込むことにより支持棒をブラケットに連結させて太陽電池モジュールの傾斜角度を固定する。
【０００６】
また、太陽電池モジュールの傾斜角度を変更する際には、ナットを外してボルトを抜き出し、各側壁に設けられた高さの異なる複数の孔のうち、他の高さの孔を選択する。そして、上記と同様に再び支持棒をブラケットに連結させる作業を行う（例えば、特許文献１）。
【先行技術文献】
【特許文献】
【０００７】
【特許文献１】特開平８−１７０７９０号公報
【発明の概要】
【発明が解決しようとする課題】
【０００８】
しかし、上述した特許文献１に提案されている太陽電池架台によれば、ブラケット、ボルト及びナット等の構成を設けることが必要となり、部品点数の増加やコストの上昇という問題がある。
【０００９】
また、このように太陽電池モジュールの傾斜角度を固定するための部品点数が多いことや傾斜角度を変更するたびにボルトをしめたりゆるめたりするための工具を必要とすることは、太陽電池モジュールの傾斜角度を変更する度にこれらの部品を個々に取り外し、取り付けを行う必要があり、作業効率が低下するという問題がある。
【００１０】
本発明は上記事情に鑑みなされたものであり、多くの部品点数を必要とせず工具も不要で、太陽電池モジュールの傾斜角度を変更する際の作業効率を向上させることができる太陽電池架台を提供することを目的とするものである。
【課題を解決するための手段】
【００１１】
本発明に係る太陽電池架台は、支持棒が複数の個所で屈曲されており、この支持棒の一部が支柱に設けられた孔（支柱孔）を貫通し、他の一部が太陽電池モジュールを保持する梁を支える部材である保持ブレードに設けられた孔（ブレード孔）を貫通するように構成されているため、ナットやボルトを用いることなく太陽電池モジュールの傾斜角度を固定することができ、さらに、傾斜角度を変更する際には工具を使わずに支持棒を回転させることで支柱孔から支持棒を外したり、支柱孔へ支持棒を貫通させたりすることができるものである。
【００１２】
すなわち、本発明に係る太陽電池架台は、高さの異なる複数の支柱孔が設けられた支柱と、前記支柱の上部に回動機構を介して傾斜可能に取り付けられた、ブレード孔が設けられた保持ブレードと、前記複数の支柱孔から任意に選択される１つの支柱孔と前記ブレード孔とに掛け渡されて前記保持ブレードを所定の傾斜角度で固定する支持棒と、を備え、前記支持棒は、先端部と、前記先端部に対して略直角であり、前記支柱孔のうちの１つを貫通する支柱孔貫通部と、前記支柱孔貫通部および前記先端部に対して略直角である第１連結部と、前記第１連結部に対して略直角であり、前記ブレード孔を貫通するブレード孔貫通部と、前記ブレード孔貫通部に対して略直角である第２連結部と、を有し、前記支柱孔貫通部と前記ブレード孔貫通部とは略平行であることを特徴とする。
【００１３】
このように構成された本発明に係る太陽電池架台によれば、支柱孔貫通部と先端部とが略直角であり、支柱孔貫通部と第１連結部とが略直角であるため、風荷重を受けても、支柱孔貫通部に隣接する先端部あるいは第１連結部が支柱の面に当たるため、これにより、支柱孔貫通部が支柱孔から外れてしまうのを防ぐことができる。
【００１４】
また、ブレード孔貫通部と第１連結部とが略直角であり、ブレード孔貫通部と第２連結部とが略直角であるため、風荷重を受けても、ブレード孔貫通部に隣接する第１連結部あるいは第２連結部が保持ブレードの面に当たるため、ブレード孔貫通部がブレード孔から外れてしまうのを防ぐことができる。
【００１５】
このため、ナットやボルトを用いることなく支持棒を支柱および保持ブレードに自立的に保持固定することが可能であり、多くの部品点数を必要とせず、太陽電池モジュールの傾斜角度を変更する際の作業効率を向上させることができる。
【００１６】
さらに、支柱孔貫通部とブレード孔貫通部とが略平行であること、また、先端部が支柱孔貫通部および第１連結部と略直角であることにより、保持ブレードの傾斜角度を変更するために支持棒を第１連結部を回転軸として回転させ、支柱孔から支柱貫通部および先端部を外す場合や、支柱孔へ支柱孔貫通部および先端部を貫通させる場合に、先端部やブレード孔に貫通しているブレード孔貫通部によって支持棒の動きが妨げられるのを防止することができる。
【００１７】
また、本発明に係る太陽電池架台においては、前記支持棒は、前記第２連結部に対して略直角であるハンドル部を有し、前記先端部は水平方向よりも上向きに曲げられており、前記ブレード孔貫通部と前記ハンドル部とは、前記第２連結部に対して互いに反対方向に曲げられ、前記支柱孔貫通部と前記ブレード孔貫通部とは、前記第１連結部に対して互いに反対方向に曲げられている構成とすることが好ましい。
【００１８】
このように構成された本発明に係る太陽電池架台によれば、第２連結部に対して略直角であるハンドル部が設けられていることにより、支柱孔貫通部が支柱孔に貫通し、ブレード孔貫通部がブレード孔に貫通している状態においては、ハンドル部の質量により、第１連結部を回転軸として、ハンドル部の端のうち第２連結部と反対側の端が下がる方向にトルクが発生する。
【００１９】
そして、ブレード孔貫通部とハンドル部とが第２連結部に対して互いに反対方向に曲げられているため、ブレード孔貫通部には、第１連結部と反対側（第２連結部側）の端が下がる方向にトルクが働く。
【００２０】
また、支柱孔貫通部とブレード孔貫通部とは、第１連結部に対して互いに反対方向に曲げられているため、支柱孔貫通部には、第１連結部と反対側（先端部側）の端が上がる方向にトルクが働く。
【００２１】
これにより、水平方向よりも上向きに曲げられている先端部には、この先端部の上端が支柱に押しつけられる方向に力が働くため、支柱孔から支柱孔貫通部が外れてしまうことを一層防止することができる。
【００２２】
さらに、本発明に係る太陽電池架台においては、第１連結部を回転軸としたときの、ハンドル部、第２連結部およびブレード孔貫通部の質量による回転モーメントが、支柱孔貫通部および先端部の質量による回転モーメントより大きくなるように、各部分の質量や長さが設定されていることが好ましい。
【００２３】
このように構成された本発明に係る太陽電池架台によれば、ブレード孔貫通部の第２連結部側の端が下がる方向のモーメントの方が、支柱孔貫通部の先端部側の端が下がる方向のモーメントよりも大きくなるため、支柱孔から支柱孔貫通部が外れてしまうことをより確実に防止することができる。
【００２４】
なお、先端部を水平面より下向に曲げている場合は、ハンドル部を第２連結部に対してブレード孔貫通部と同じ方向に曲げることで、同じ効果を生むことができる。
【発明の効果】
【００２５】
本発明に係る太陽電池架台によれば、多くの部品点数を必要とせず、太陽電池モジュールの傾斜角度を変更する際にも工具が不要であることから作業効率を向上させることができる。
【図面の簡単な説明】
【００２６】
【図１】本実施例の太陽電池架台１００の保持ブレード２が夏季用の傾斜角度に固定された状態を示す側面図である。
【図２】本実施例の太陽電池架台１００の保持ブレード２が冬季用の傾斜角度に固定された状態を示す側面図である。
【図３】図１、図２の支持棒３の構成を示す斜視図である。
【発明を実施するための形態】
【００２７】
以下、図１〜図３に基づいて本発明の最良の実施形態としての太陽電池架台１００について説明する。
【００２８】
図１は、本実施例の太陽電池架台１００の保持ブレード２が夏季用の傾斜角度に固定された状態を示す側面図であり、図２は、本実施例の太陽電池架台１００の保持ブレード２が冬季用の傾斜角度に固定された状態を示す側面図であり、図３は、図１、図２の支持棒３の構成を示す斜視図である。
【００２９】
本実施例の太陽電池架台１００は、図１、２に示すように、支柱１と、保持ブレード２と、支持棒３と、を備えている。
【００３０】
支柱１は、例えば、コの字形のものであり、その下部が地中に埋め込まれて固定されている。また、支柱１には、地表面からの高さの異なる（すなわち、後述するピン４からの距離が異なる）２つの支柱孔６（６ａ、６ｂ）が設けられており、これら支柱孔６ａ、６ｂの内径はいずれも支持棒３の外径より大きい。
【００３１】
保持ブレード２は、太陽電池モジュール８を保持する複数の梁５（本例では、コ字状断面を有するもの）を支える部材（本例では、Ｌ字状断面を有するもの）である。この保持ブレード２は、支柱１に対して回動可能に軸支されていて、支柱１の上部に設けられたピン（回動機構）４を介して支柱１に対して傾斜可能に取り付けられている（ピン構造）。また、この保持ブレード２の一部には、ブレード孔７が設けられており、このブレード孔７の径は支持棒３の径より大きい。
【００３２】
支持棒３は、図３に示すように、略均一の太さである１本の棒を複数の個所で屈曲させたものであり、先端部ａと、支柱孔貫通部ｂと、第１連結部ｃと、ブレード孔貫通部ｄと、第２連結部ｅと、ハンドル部ｆと、を有している。
【００３３】
そして、支柱孔貫通部ｂは先端部ａに対して略直角であり、第１連結部ｃは支柱孔貫通部ｂおよび先端部ａに対して略直角であり、ブレード孔貫通部ｄは第１連結部ｃに対して略直角であり、第２連結部ｅはブレード孔貫通部ｄに対して略直角であり、ハンドル部ｆは第２連結部ｅに対して略直角である。
【００３４】
また、第１連結部ｃと第２連結部ｅとは、支柱孔貫通部ｂを支柱孔６に貫通させ、ブレード孔貫通部ｄをブレード孔７に貫通させた場合に第２連結部ｅおよびハンドル部ｆが太陽電池モジュール８や梁５に当たらないように、所定の角度で曲げられている。
【００３５】
さらに、ブレード孔貫通部ｄとハンドル部ｆとは、第２連結部ｅに対して互いに反対方向に曲げられている。上記のように、ブレード孔貫通部ｄと第２連結部ｅとは略直角であって、第２連結部ｅとハンドル部ｆとは略直角であるため、ブレード孔貫通部ｄとハンドル部ｆとは略平行の位置関係となっている。
【００３６】
そして、支柱孔貫通部ｂとブレード孔貫通部ｄとは、第１連結部ｃに対して互いに反対方向に曲げられている。上記のように、支柱孔貫通部ｂと第１連結部ｃとは略直角であって、第１連結部ｃとブレード孔貫通部ｄとは略直角であるため、支柱孔貫通部ｂとブレード孔貫通部ｄとは略平行の位置関係となっている。
【００３７】
また、第１連結部ｃを回転軸として、ハンドル部ｆ、第２連結部ｅおよびブレード孔貫通部ｄの質量による回転モーメントは、支柱孔貫通部ｂおよび先端部ａの質量による回転モーメントより十分大きくなるように、各部分の質量や長さが設定されている。
【００３８】
次に、太陽電池架台１００による作用を［傾斜角度を変更する際の作用］と［通常時の作用］とに分けて説明する。
［傾斜角度を変更する際の作用］
まず、支柱孔６ａに先端部ａおよび支柱孔貫通部ｂを貫通させる場合について説明する。支持棒３のブレード孔貫通部ｄは予めブレード孔７に貫通されており、この状態からハンドル部ｆを持ち、図３に示すように、ハンドル部ｆの端のうち第２連結部ｅと反対側の端ｆ１を上方へ持ち上げるように、第１連結部ｃを回転軸として支持棒３を矢印ｇ１の回転方向に回転させる。
【００３９】
そして、ハンドル部ｆの傾きが略垂直になるまで支持棒３を回転させると、ハンドル部ｆと略平行である支柱孔貫通部ｂおよびブレード孔貫通部ｄの傾きもまた略垂直になり、先端部ａの傾きは略水平になる。さらに、ハンドル部ｆを上下に動かして、先端部ａの端ａ１の高さを支柱孔６ａの高さに合わせる。
【００４０】
その後、先端部ａを支柱孔６ａへ貫通させるとともに、ハンドル部ｆの端ｆ１を下げてハンドル部ｆの傾きが略水平になるように、第１連結部ｃを回転軸として支持棒３を矢印ｇ２の回転方向（矢印ｇ１と反対方向）に回転させる。
【００４１】
これにより、先端部ａが支柱孔６ａへ貫通し、この先端部ａの端ａ１が水平方向よりも上向きとなる。また、傾きが略水平となった支柱孔貫通部ｂが支柱孔６ａへ貫通する。
【００４２】
次に、支柱孔６ａから先端部ａおよび支柱孔貫通部ｂを外す場合について説明する。この場合には、傾きが略水平であるハンドル部ｆを持ち、図３に示すように、第１連結部ｃを回転軸として、ハンドル部ｆの傾きが略９０度回転するよう、支持棒３を矢印ｇ１の回転方向に回転させる。
【００４３】
これにより、支柱孔貫通部ｂの傾きが略９０度回転して支柱孔６ａから外れ、さらに、傾きが略水平となった先端部ａが支柱孔６ａから外れる。
【００４４】
上記のような作用は、先端部ａおよび支柱孔貫通部ｂを支柱孔６ａへ貫通させる場合や支柱孔６ａから外す場合に限らず、先端部ａおよび支柱孔貫通部ｂを支柱孔６ｂへ貫通させる場合や支柱孔６ｂから外す場合においても同様である。
【００４５】
なお、先端部ａが支柱孔貫通部ｂおよび第１連結部ｃと略直角であることにより、支持棒３を第１連結部ｃを回転軸として変位（回転）させる際、回転させる前の支柱孔６とブレード孔７との間の距離（支柱孔貫通部ｂとブレード孔貫通部ｄと間の距離）と、略９０度回転させた後の支柱孔６とブレード孔７との間の距離（先端部ａの端ａ１とブレード孔貫通部ｄと間の距離）と、の差が少ない（距離の変化が少ない）ので、先端部ａや支柱孔貫通部ｂを支柱孔６ａ、６ｂに貫通させる際や、先端部ａや支柱孔貫通部ｂを支柱孔６ａ、６ｂから外す際に、ブレード孔７にブレード孔貫通部ｄが予め貫通されていても支持棒３の動きが妨げられるのを防止することができる（支持棒３の変位を大きくすることなく脱着できる）。
【００４６】
また、ブレード孔７がピン４より南側（南半球では北側）に設けられている場合は、夏季には、図１に示すように、先端部ａおよび支柱孔貫通部ｂを支柱孔６ａに貫通させて太陽電池モジュール８の水平に対する傾斜角度を小さくし、冬季には、図２に示すように、先端部ａおよび支柱孔貫通部ｂを支柱孔６ｂに貫通させて太陽電池モジュール３の水平に対する傾斜角度を大きくすることが好ましい。
【００４７】
なお、本実施例においては、支柱孔６が高さの異なる２個所に設けられているが、この支柱孔６が設けられる位置は２個所に限られず、高さの異なる３個所以上に設けられていてもよく、例えば、支柱孔６ａと支柱孔６ｂとの間に春季および秋季用の支柱孔６ｃ（図示せず）を設けるように構成することも可能である。
［通常時の作用］
支柱孔貫通部ｂとブレード孔貫通部ｄが、第１連結部ｃに略直角であって、かつ、互いに平行であるため、支持棒３にかかる引張りや圧縮の力を、支柱孔貫通部ｂやブレード孔貫通部ｄで垂直に受けることができ、保持ブレード２の傾斜角度を確実に保持できる。
【００４８】
さらに、支柱孔貫通部ｂが支柱孔６（６ａあるいは支柱孔６ｂのいずれか一方）に貫通し、ブレード孔貫通部ｄがブレード孔７に貫通し、保持ブレード２の傾斜角度が固定されている状態（通常時）において、傾斜角度が略水平である支柱孔貫通部ｂと先端部ａとが略直角であり、かつ、支柱孔貫通部ｂと第１連結部ｃとが略直角であるため、支柱孔貫通部ｂが支柱孔６から外れる方向への動きが規制される。
【００４９】
また、傾斜角度が略水平であるブレード孔貫通部ｄと第１連結部ｃとが略直角であり、かつ、ブレード孔貫通部ｄと第２連結部ｅとが略直角であるため、ブレード孔貫通部ｄがブレード孔７から外れる方向への動きが規制される。
【００５０】
さらに、図３に示すように、通常時においては、ハンドル部ｆの質量により、第１連結部ｃを回転軸として、ハンドル部ｆの端ｆ１が下がる方向にトルクｇ２が発生する。このトルクｇ２により、ブレード孔貫通部ｄには、第１連結部ｃと反対側（第２連結部ｅ側）の端が下がる方向にトルクが働き、支柱孔貫通部ｂには、第１連結部ｃと反対側（先端部ａ側）の端が上がる方向にトルクが働く。
【００５１】
そして、水平方向よりも上向きに曲げられている先端部ａには、この先端部ａの端（上端）ａ１が支柱１に押しつけられる方向（図１および図２においては、手前から奥に向かう方向）に力が働き、支柱孔６から先端部ａおよび支柱孔貫通部ｂが外れてしまうことを防ぐ。
【００５２】
特に、第１連結部ｃを回転軸として、ハンドル部ｆ、第２連結部ｅおよびブレード孔貫通部ｄの質量による回転モーメントが、支柱孔貫通部ｂおよび先端部ａの質量による回転モーメントより十分大きくなるように設定することで、ブレード貫通孔ｄの第２連結部ｅ側の端が下がる方向のモーメント（回転中心は第１連結部ｃ）の方が、支柱孔貫通部ｂの先端部ａ側の端が下がる方向のモーメントよりも確実に大きくなり、支柱孔６から先端部ａおよび支柱孔貫通部ｂが外れてしまうことをより確実に防止することができる。
【００５３】
このように構成された本実施例に係る太陽電池架台１００によれば、支柱孔貫通部ｂと先端部ａとが略直角であり、支柱孔貫通部ｂと第１連結部ｃとが略直角であるため、風荷重を受けても、支柱孔貫通部ｂに隣接する先端部ａあるいは第１連結部ｃが支柱１の面に当たるため、支柱孔６から支柱孔貫通部ｂが一方に容易に滑るのを防止することができ、これにより、支柱孔貫通部ｂが支柱孔６から外れてしまうのを防ぐことができる。
【００５４】
また、ブレード孔貫通部ｄと第１連結部ｃとが略直角であり、ブレード孔貫通部ｄと第２連結部ｅとが略直角であるため、風荷重を受けても、ブレード孔貫通部ｄに隣接する第１連結部ｃあるいは第２連結部ｅが保持ブレード２の面に当たるため、ブレード孔７からブレード孔貫通部ｄが一方に容易に滑るのを防止することができ、これにより、ブレード孔貫通部ｄがブレード孔７から外れてしまうのを防ぐことができる。
【００５５】
このため、ナットやボルトを用いることなく支持棒３を支柱１および保持ブレード２に自立的に保持固定することが可能であり、多くの部品点数を必要とせず、工具を用いずに傾斜角度を変更することが可能になることから、太陽電池モジュール８の傾斜角度を変更する際の作業効率を向上させることができる。
【００５６】
さらに、先端部ａが支柱孔貫通部ｂおよび第１連結部ｃに略直角であることにより、支持棒３を第１連結部ｃを回転軸として変位させたとき、支柱孔貫通部ｂおよび先端部ａとブレード孔貫通部ｄとの距離の変化が少なく、支柱孔６から先端部ａおよび支柱貫通部ｂを外す際や、支柱孔６へ先端部ａおよび支柱孔貫通部ｂを貫通させる際に、ブレード孔７にブレード孔貫通部ｄが予め貫通されているとしても、支持棒３の動きが妨げられるのを防止することができる。
【００５７】
また、このように構成された本実施例に係る太陽電池架台１００によれば、ハンドル部ｆの質量により、第１連結部ｃを回転軸として、ハンドル部ｆの端ｆ１が下がる方向にトルクが発生するため、水平方向よりも上向きに曲げられている先端部ａには、この先端部ａの上端ａ１が支柱１に押しつけられる方向に力が働き、支柱孔６から支柱孔貫通部ｂが外れてしまうことを一層防止することができる。
【００５８】
さらに、このように構成された本実施例に係る太陽電池架台１００によれば、第１連結部ｃを回転軸としたとき、ハンドル部ｆ、第２連結部ｅおよびブレード孔貫通部ｄの質量による回転モーメントが、支柱孔貫通部ｂおよび先端部ａの質量による回転モーメントより十分大きくなるようにすることで、支柱孔６から支柱孔貫通部ｂが外れてしまうことをより確実に防止することができる。
【００５９】
なお、本発明に係る太陽電池架台は上述のような形態に限定されず、例えば、先端部ａを水平面より下向に曲げている場合は、第２連結部ｅに対してハンドル部ｆをブレード孔貫通部ｄと同じ方向に曲げることで、先端部ａの端ａ１が支柱１に押しつけられる方向にモーメントが大きく発生する構成であればよい。
【００６０】
また、保持ブレード孔と支柱孔の役割を入れ代え、支柱孔を１つにし、保持ブレード孔を複数個にし、支持棒も逆に差し込むことでも同じ機能を実現できる。
【００６１】
以上、本発明の太陽電池架台を実施例に基づき説明してきたが、具体的な構成については、本実施例に限られるものではない。
【符号の説明】
【００６２】
１  支柱
２  保持ブレード
３  支持棒
４  ピン（回動機構）
５  梁
６  支柱孔
７  ブレード孔
８  太陽電池モジュール
１００  太陽電池架台
【図１】
2011082433.tif 000003
【図２】
2011082433.tif 000004
【図３】
2011082433.tif 000005